(57)【要約】【課題】複数の電線を容易に結束できる間接活線工事用結束バンドを提供する。【解決手段】結束バンド１０は、ストラップ１ｓ、第１ブロック体１、及び第２ブロック体２を備える。第１ブロック体１は、ストラップ１ｓの一端部を結合し、把持腕８ａを挿入自在な第１凹部１１を有する。第２ブロック体２は、ストラップ１ｓの他端部を結合し、把持腕８ｂを挿入自在な第２凹部２１を有する。第１ブロック体１は、先端部側に突出した隆起部１２と、把持腕８ｂの先端部に向かって貫通した係止穴１２ｈを有する。第２ブロック体２は、係止穴１２ｈに向かって延びる係止片２２と、係止片２２の一方の面に形成した戻り止め襞２２ｇを有する。把持腕８ａと把持腕８ｂが閉じた状態では、戻り止め襞２２ｇが係止穴１２ｈに係止して、第１ブロック体１と第２ブロック体２が離反困難に、結束バンド１０のループを閉じる。【選択図】図１
2016144330.tif 000002
【特許請求の範囲】
【請求項１】
一方の把持腕が二股に分岐した一対の鉤状の分岐腕からなり、他方の把持腕が一対の前記分岐腕の間に導入可能な湾曲した単一腕からなる、一対の開閉する把持腕を先端部に有する間接活線工事用の絶縁操作棒を用いて、複数の電線を結束できる間接活線工事用結束バンドであって、
他方の前記把持腕の内壁に沿って配置できる可撓性を有する帯状のストラップと、
前記ストラップの一方の端部を結合し、一方の前記把持腕を先端部から挿入自在な第１凹部を底面に開口した第１ブロック体と、
前記ストラップの他方の端部を結合し、他方の前記把持腕を先端部から挿入自在な第２凹部を底面に開口した第２ブロック体と、を備え、
前記第１ブロック体は、
底面と反対側に突出した隆起部と、
この隆起部に形成し、他方の前記把持腕の先端部に向かって貫通した係止穴と、を有し、
前記第２ブロック体は、
底面と反対側に形成し、前記係止穴に向かって延びる帯状の係止片と、
前記係止片の一方の面に形成した鋸歯状の戻り止め襞と、を有し、
一方の前記把持腕と他方の前記把持腕が閉じた状態では、前記戻り止め襞が前記係止穴に係止して、前記第１ブロック体と前記第２ブロック体が離反困難になるように、ループを閉じる間接活線工事用結束バンド。
【請求項２】
前記ストラップ、前記第１ブロック体、及び前記第２ブロック体は、絶縁性を有する合成樹脂で一体成形している請求項１記載の間接活線工事用結束バンド。
【請求項３】
架空電線と分岐線とを結束する請求項１又は２記載の間接活線工事用結束バンド。
【発明の詳細な説明】
【技術分野】
【０００１】
本発明は、間接活線工事用結束バンドに関する。特に、絶縁操作棒の先端部に設けた一対の開閉する把持腕であって、一方の把持腕が二股に分岐した一対の分岐腕からなり、他方の把持腕が一対の分岐腕の間に導入可能な単一腕からなり、一対の把持腕を閉じることで、複数の電線を結束できる間接活線工事用結束バンドの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁操作棒を用いて、電線を把持する作業の他に、電線に防護管を被せる作業、又は電線にバインド線を巻き付ける作業などが実施されている。
【０００５】
このような絶縁操作棒を用いて、電柱に架設された架空電線に分岐線を電気的に接続する分岐用締付けコネクタが開示されている（例えば、特許文献１参照）。
【０００６】
図７は、従来技術による分岐用締付けコネクタを用いた装柱例を示す斜視図である。図８は、従来技術による分岐用締付けコネクタの斜視図である。本技術の図７は、特許文献１の図５に相当し、本技術の図８は、特許文献１の図６に相当している。
【０００７】
図７を参照すると、架空電線Ｗは、腕金Ａを介して電柱Ｐに架設されている。又、架空電線Ｗは、分岐線Ｗｂの一方の端末を接続して、架空電線Ｗから分岐線Ｗｂに電気を分配している。分岐線Ｗｂの他方の端末は、例えば、カットアウトを介して柱上変圧器Ｔに接続している。この場合、架空電線Ｗと分岐線Ｗｂを電気的に接続するために、分岐用締付けコネクタＤを用いている。
【０００８】
図８を参照すると、分岐用締付けコネクタ（以下、コネクタと略称する）Ｄは、一対の導電部材Ｆ・Ｇで構成している。これらの導電部材Ｆ・Ｇは、締め付けボルトＥで中間部が連結されている。又、一対の導電部材Ｆ・Ｇは、半円弧状の本線挟持部Ｈ・Ｈを一方の端部に設けている。締め付けボルトＥを締め付けると、これらの本線挟持部Ｈ・Ｈは、架空電線Ｗの絶縁被覆が剥離された芯線Ｃを外周方向から挟持できる。
【０００９】
更に、図８を参照すると、一対の導電部材Ｆ・Ｇは、分岐線挟持部Ｊ・Ｊを他方の端部に設けている。締め付けボルトＥを締め付けると、これらの分岐線挟持部Ｊ・Ｊは、分岐線Ｗｂの絶縁被覆が剥離された芯線Ｃを外周方向から挟持できる。そして、コネクタＤは、架空電線Ｗと分岐線Ｗｂとを機械的及び電気的に接続できる。
【００１０】
図８を参照して、コネクタＤで架空電線Ｗと分岐線Ｗｂを接続後に、コネクタＤは、絶縁性を有するカバーで覆われる。又、分岐線Ｗｂが風などで揺らされて、コネクタＤの挟持部から芯線Ｃが破断しないように、分岐線Ｗｂの一端部側をバインド線Ｂで架空電線Ｗに結束していた。
【００１１】
ところで、図８を参照して、分岐線Ｗｂをバインド線Ｂで架空電線Ｗに結束するためには、フック状の先端工具（いわゆる、バインド打ち器）を先端部に有する絶縁操作棒（図示せず）を用いて、バインド線Ｂを複数回、巻回していた。
【００１２】
しかし、バインド打ち器を先端部に有する絶縁操作棒を用いて、遠隔に配置された架空電線Ｗと分岐線Ｗｂにバインド線Ｂを巻回することは、熟練を要するという問題がある。
【００１３】
上述した問題を解消するため、絶縁操作棒の先端部に設けた一対の開閉する把持腕に取り付けできる、一組で構成される間接活線工事用アダプタであって、帯状の結束バンドのバンド部とロック部とを離れた位置から容易に結合できる間接活線工事用アダプタが開示されている（例えば、特許文献２参照）。
【先行技術文献】
【特許文献】
【００１４】
【特許文献１】特開平９−３５７６５号公報
【特許文献２】特開２０１３−２１８８５号公報
【発明の概要】
【発明が解決しようとする課題】
【００１５】
特許文献２によれば、絶縁操作棒の先端部に固定した一組のアダプタで結束バンドのロック部を保持し、結束バンドのバンド部を他の絶縁ヤットコで把持し、他の絶縁操作棒を操作して、バンド部の先端部をロック部に設けた開口に挿通することで、結束バンドのバンド部とロック部とを結合できる、としている。
【００１６】
しかし、特許文献２による間接活線工事用アダプタは、バインド線Ｂに替えて、架空電線Ｗと分岐線Ｗｂとを結束バンドで結束するために、二本の絶縁操作棒を必要としているという問題がある。
【００１７】
このように、従来技術による間接活線工事用アダプタは、架空電線Ｗと分岐線Ｗｂとを結束バンドで結束するために、二本の絶縁操作棒を共働させる必要があり、作業時間と労力を要しているという問題がある。
【００１８】
以上のことから、絶縁操作棒の先端部に設けた間接活線工事用結束バンドであって、複数の絶縁操作棒を用いることなく、単一の絶縁操作棒で複数の電線を容易に結束できる間接活線工事用結束バンドが求められていた。そして、以上のことが本発明の課題といってよい。
【００１９】
本発明は、このような課題に鑑みてなされたものであり、絶縁操作棒の先端部に設けた間接活線工事用結束バンドであって、複数の絶縁操作棒を用いることなく、単一の絶縁操作棒で複数の電線を容易に結束できる間接活線工事用結束バンドを提供することを目的とする。
【課題を解決するための手段】
【００２０】
本発明者は、一対の分岐腕と単一腕からなる一対の開閉する把持腕の先端部に、結束バンドの両端部を保持し、一対の把持腕を閉じると、結束バンドのループを閉じることで、複数の電線を容易に結束できると考え、これに基づいて、以下のような新たな間接活線工事用結束バンドを発明するに至った。
【００２１】
（１）本発明による間接活線工事用結束バンドは、一方の把持腕が二股に分岐した一対の鉤状の分岐腕からなり、他方の把持腕が一対の前記分岐腕の間に導入可能な湾曲した単一腕からなる、一対の開閉する把持腕を先端部に有する間接活線工事用の絶縁操作棒を用いて、複数の電線を結束できる間接活線工事用結束バンドであって、他方の前記把持腕の内壁に沿って配置できる可撓性を有する帯状のストラップと、前記ストラップの一方の端部を結合し、一方の前記把持腕を先端部から挿入自在な第１凹部を底面に開口した第１ブロック体と、前記ストラップの他方の端部を結合し、他方の前記把持腕を先端部から挿入自在な第２凹部を底面に開口した第２ブロック体と、を備え、前記第１ブロック体は、底面と反対側に突出した隆起部と、この隆起部に形成し、他方の前記把持腕の先端部に向かって貫通した係止穴と、を有し、前記第２ブロック体は、底面と反対側に形成し、前記係止穴に向かって延びる帯状の係止片と、前記係止片の一方の面に形成した鋸歯状の戻り止め襞と、を有し、一方の前記把持腕と他方の前記把持腕が閉じた状態では、前記戻り止め襞が前記係止穴に係止して、前記第１ブロック体と前記第２ブロック体が離反困難になるように、ループを閉じる。
【００２２】
（２）前記ストラップ、前記第１ブロック体、及び前記第２ブロック体は、絶縁性を有する合成樹脂で一体成形していることが好ましい。
【００２３】
（３）本発明による間接活線工事用結束バンドは、架空電線と分岐線とを結束することが好ましい。
【発明の効果】
【００２４】
本発明による間接活線工事用結束バンドは、複数の絶縁操作棒を用いることなく、単一の絶縁操作棒で複数の電線を容易に結束できる。
【図面の簡単な説明】
【００２５】
【図１】本発明の一実施形態による間接活線工事用結束バンドの構成を示す正面図であり、要部を縦断面で示している。
【図２】前記実施形態による間接活線工事用結束バンドの構成を示す右側面図であり、第１ブロック体を部分的に縦断面で示している。
【図３】前記実施形態による間接活線工事用結束バンドの構成を示す正面図であり、一対の分岐腕と単一腕が開いた状態で、間接活線工事用結束バンドを取り付けた状態図である。
【図４】前記実施形態による間接活線工事用結束バンドの構成を示す斜視図である。
【図５】前記実施形態による間接活線工事用結束バンドの構成を示す正面図であり、一対の分岐腕と単一腕が閉じた状態図である。
【図６】本発明に係る絶縁操作棒の一例による構成を示す図であり、図６（Ａ）は、絶縁操作棒の正面図、図６（Ｂ）は、絶縁操作棒の右側面図である。
【図７】従来技術による分岐用締付けコネクタを用いた装柱例を示す斜視図である。
【図８】従来技術による分岐用締付けコネクタの斜視図である。
【発明を実施するための形態】
【００２６】
以下、図面を参照して本発明を実施するための形態を説明する。
［間接活線工事用結束バンドの構成］
最初に、本発明の一実施形態による間接活線工事用結束バンドの構成を説明する。
【００２７】
図１は、本発明の一実施形態による間接活線工事用結束バンドの構成を示す正面図であり、要部を縦断面で示している。図２は、前記実施形態による間接活線工事用結束バンドの構成を示す右側面図であり、第１ブロック体を部分的に縦断面で示している。
【００２８】
図３は、前記実施形態による間接活線工事用結束バンドの構成を示す正面図であり、一対の分岐腕と単一腕が開いた状態で、間接活線工事用結束バンドを取り付けた状態図である。図４は、前記実施形態による間接活線工事用結束バンドの構成を示す斜視図である。
【００２９】
図５は、前記実施形態による間接活線工事用結束バンドの構成を示す正面図であり、一対の分岐腕と単一腕が閉じた状態図である。図６は、本発明に係る絶縁操作棒の一例による構成を示す図であり、図６（Ａ）は、絶縁操作棒の正面図、図６（Ｂ）は、絶縁操作棒の右側面図である。
【００３０】
なお、従来技術で使用した符号と同じ符号を有する構成品は、その作用を同じとするので、以下説明を省略することがある。
【００３１】
（絶縁操作棒の構成）
次に、間接活線工事用結束バンドの構成を説明するのに先立ち、略円形の断面を有する把持対象物を把持することのみに特化した間接活線工事用絶縁操作棒（いわゆる、クイック型ヤットコ）の構成を説明する。
【００３２】
図６を参照すると、間接活線工事用絶縁操作棒（以下、絶縁操作棒という）８は、長尺の操作棒８１と把持工具８２で構成している。又、絶縁操作棒８は、作動棒８３を備えている。把持工具８２は、操作棒８１の先端部に取り付けている。
【００３３】
図６を参照すると、把持工具８２は、開閉する一対の湾曲した把持腕８ａ・８ｂで構成している。そして、一方の把持腕８ａは、基端部が固定された固定腕であり、他方の把持腕８ｂは、一方の把持腕８ａの基端部に設けた回動軸８ｃを中心に回動する可動腕となっている。
【００３４】
図６を参照すると、作動棒８３は、操作棒８１に沿って保持されている。作動棒８３の先端部は、他方の把持腕８ｂに回動自在に連結している。そして、作動棒８３の基端部に設けた操作レバー８４を操作すると、一方の把持腕８ａに対して、他方の把持腕８ｂを開閉できる。絶縁操作棒８は、操作棒８１及び作動棒８３の中間部が絶縁性を有するプラスチックパイプなどで構成され、間接活線工法に好適なように、絶縁性を確保している。
【００３５】
図６を参照して、操作レバー８４を握って、操作レバー８４を操作棒８１に近づけると、一方の把持腕８ａに対して、他方の把持腕８ｂを閉じることができる。操作レバー８４を解放すると、操作レバー８４に連結したばね（図示せず）の力で、一方の把持腕８ａに対して、他方の把持腕８ｂを開くことができる。
【００３６】
図６を参照すると、一方の把持腕８ａは、鉤状に屈折するように形成している。他方の把持腕８ｂは、円弧状に湾曲するように形成している。一方の把持腕８ａは、二股に分岐した一対の分岐腕となっている。他方の把持腕８ｂは、一対の分岐腕の間に導入される単一腕になっている。これにより、一対の把持腕８ａ・８ｂを閉じると、これらの把持腕８ａ・８ｂの先端部が互いに交差して、略円形の断面を有する把持対象物を確実に把持できる。
【００３７】
（全体構成）
図１から図５を参照すると、本発明の一実施形態による間接活線工事用結束バンド（以下、結束バンドと略称する）１０は、帯状のストラップ１ｓ、第１ブロック体１、及び第２ブロック体２を備えている。ストラップ１ｓは、可撓性を有している。そして、ストラップ１ｓは、絶縁操作棒８の他方の把持腕８ｂの内壁に沿って配置できる。
【００３８】
図１から図５を参照すると、第１ブロック体１は、ストラップ１ｓの一方の端部を結合している。又、第１ブロック体１は、第１凹部１１を底面に開口している。そして、第１凹部１１には、絶縁操作棒８の一方の把持腕８ａを先端部から挿入できる。
【００３９】
図１から図５を参照すると、第２ブロック体２は、ストラップ１ｓの他方の端部を結合している。又、第２ブロック体２は、第２凹部２１を底面に開口している。そして、第２凹部２１には、絶縁操作棒８の他方の把持腕８ｂを先端部から挿入できる。
【００４０】
図１から図５を参照すると、ストラップ１ｓ、第１ブロック体１、及び第２ブロック体２は、絶縁性を有する合成樹脂で一体成形している。
【００４１】
（第１ブロック体の構成）
次に、実施形態による第１ブロック体１の構成を説明する。図１から図５を参照すると、第１ブロック体１は、隆起部１２と係止穴１２ｈを有している。隆起部１２は、第１ブロック体１の底面と反対側に突出している。係止穴１２ｈは、隆起部１２に形成している。そして、係止穴１２ｈは、他方の把持腕８ｂの先端部に向かって貫通している。
【００４２】
（第２ブロック体の構成）
次に、実施形態による第２ブロック体２の構成を説明する。図１から図５を参照すると、第２ブロック体２は、帯状の係止片２２と鋸歯状の戻り止め襞２２ｇを有している。係止片２２は、第２ブロック体２の底面と反対側に形成している。そして、係止片２２は、係止穴１２ｈに向かって延びている。戻り止め襞２２ｇは、係止片２２の一方の面に形成している。
【００４３】
図５を参照して、一方の把持腕８ａと他方の把持腕８ｂが閉じた状態では、戻り止め襞２２ｇが係止穴１２ｈに係止している。そして、結束バンド１０は、第１ブロック体１と第２ブロック体２が離反困難になるように、ループを閉じることができる。これにより、結束バンド１０は、絶縁操作棒８を用いて、例えば、架空電線Ｗと分岐線Ｗｂとを結束できる。
【００４４】
なお、図５は、係止片２２の先端部を係止穴１２ｈの入口に挿入した直後の状態図であり、一方の把持腕８ａと他方の把持腕８ｂを更に閉じることで、結束バンド１０のループを閉じることができる。
【００４５】
［間接活線工事用結束バンドの作用］
次に、実施形態による結束バンド１０の操作方法を説明しながら、結束バンド１０の作用及び効果を説明する。
【００４６】
図１から図４を参照して、最初に、第１凹部１１及び第２凹部２１に絶縁操作棒８の把持腕８ａ・８ｂを挿入して、一対の把持腕８ａ・８ｂの間に結束バンド１０を固定しておく。次に、第１ブロック体１と第２ブロック体２が離間した状態で、絶縁操作棒８の手許部を把持して、結束バンド１０を架空電線Ｗ及び分岐線Ｗｂに向かって持ち上げる（図７参照）。
【００４７】
次に、図１に示すように、第１ブロック体１と第２ブロック体２の間に、架空電線Ｗ及び分岐線Ｗｂを導入する。次に、操作レバー８４を操作して（図６参照）、一対の把持腕８ａ・８ｂを閉じると、係止片２２を係止穴１２ｈに挿入でき、結束バンド１０のループを閉じることができる（図５参照）。そして、架空電線Ｗと分岐線Ｗｂとを結束バンド１０で結束できる。
【００４８】
図１から図５を参照すると、結束バンド１０は、鋸歯状の戻り止め襞２２ｇを係止片２２の一方の面に設けているので、第１ブロック体１と第２ブロック体２を離間困難に結合できる。
【００４９】
実施形態による結束バンド１０は、従来のバインド線Ｂと比べて（図８参照）、分岐線Ｗｂを架空電線Ｗに容易に結束できる、という効果がある。
【００５０】
又、実施形態による結束バンド１０は、複数の絶縁操作棒を用いることなく、単一の絶縁操作棒で複数の電線を容易に結束できる、という効果がある。
【００５１】
本発明による間接活線工事用結束バンドは、次のような効果が期待できる。
（１）スムーズに複数の電線を結束できる。
（２）従来のバインド線を用いることなく、複数の電線を結束できる。
（３）複数の電線を確実に結束できる。
（４）作業時間を短縮でき、効率的な作業を実施できる。
【００５２】
本発明は、無停電状態の高圧配電線を間接的に活線工事できる間接活線工事用結束バンドを開示したが、本発明の結束バンドは、間接活線工事用に限定されることなく、他の分野でも応用されることが期待される。
【符号の説明】
【００５３】
１  第１ブロック体
１ｓ  ストラップ
２  第２ブロック体
８  絶縁操作棒
８ａ  一方の把持腕
８ｂ  他方の把持腕
１０  結束バンド（間接活線工事用結束バンド）
１１  第１凹部
１２  隆起部
１２ｈ  係止穴
２１  第２凹部
２２  係止片
２２ｇ  戻り止め襞
【図１】
2016144330.tif 000003
【図２】
2016144330.tif 000004
【図３】
2016144330.tif 000005
【図４】
2016144330.tif 000006
【図５】
2016144330.tif 000007
【図６】
2016144330.tif 000008
【図７】
2016144330.tif 000009
【図８】
2016144330.tif 000010